(57)【要約】【課題】対物レンズの光ディスクに対する傾き制御を行える薄型の対物レンズ駆動装置、光ピックアップ装置及び光ディスク装置を提供することを目的とする。【解決手段】レンズホルダ２と、第１フォーカスコイル６ａと、第２フォーカスコイル６ｂと、トラッキングコイル７と、第１フォーカスコイル６ａに電流を流す一組の第１導電部材３ｄと第２フォーカスコイル６ｂに電流を流す一組の第２導電部材３ｅとトラッキングコイル７に電流を流す一組の第３導電部材３ｆとを備えた支持部材３と、を具備し、支持部材３は外層と内層との二層構造で形成され、一組の第１導電部材３ｄと一組の第２導電部材３ｅと一組の第３導電部材３ｆの任意の１本の導電部材は支持部材３の外層または内層のいずれかを構成した対物レンズ駆動装置１１とした。【選択図】図１
2007213631.tif 000002
【特許請求の範囲】
【請求項１】
光ディスクにレーザ光を出射する対物レンズを保持するレンズホルダと、前記レンズホルダの一端を光ディスクのフォーカス方向に移動させる第１フォーカスコイルと、前記レンズホルダの他端を光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成したことを特徴とする対物レンズ駆動装置。
【請求項２】
光ディスクにレーザ光を出射する対物レンズを保持するレンズホルダと、前記レンズホルダの両端を光ディスクのフォーカス方向に移動させる第１フォーカスコイルと、前記レンズホルダの一端を光ディスクのフォーカス方向に移動させ他端を反対向きの光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成したことを特徴とする対物レンズ駆動装置。
【請求項３】
前記支持部材は前記レンズホルダの両端に２段１列に配置されていることを特徴とする請求項１または２記載の対物レンズ駆動装置。
【請求項４】
前記外層と前記内層との間には絶縁部材が配置されていることを特徴とする請求項１または２記載の対物レンズ駆動装置。
【請求項５】
前記内層と前記絶縁部材とで被覆導線を構成したことを特徴とする請求項４記載の対物レンズ駆動装置。
【請求項６】
前記内層が前記第１フォーカスコイル、前記第２フォーカスコイルまたは前記トラッキングコイルの少なくとも１つを形成したことを特徴とする請求項５記載の対物レンズ駆動装置。
【請求項７】
前記支持部材は同軸ケーブルであることを特徴とする請求項４記載の対物レンズ駆動装置。
【請求項８】
前記支持部材は前記第１フォーカスコイル、前記第２フォーカスコイル及び前記トラッキングコイルのいずれにも接続しない第４導電部材を含むことを特徴とする請求項１または２記載の対物レンズ駆動装置。
【請求項９】
前記第１導電部材を構成する前記外層数及び前記内層数と前記第２導電部材を構成する前記外層数及び前記内層数とは同じであることを特徴とする請求項１記載の対物レンズ駆動装置。
【請求項１０】
前記固定部材を固定する平坦部と、前記平坦部の両端から略同一の方向に伸びた腕部と、前記両腕部の間の平坦部を略直角に折り曲げた第１の立設ヨーク部と、前記両腕部を斜め方向の折り目で内側に前記第１の立設ヨーク部と同一側の略直角に折り曲げ前記両腕部の先端部を前記第１の立設ヨーク部に対向するように折り曲げた第２の立設ヨーク部と、を有するヨークを備えることを特徴とする請求項１または２記載の対物レンズ駆動装置。
【請求項１１】
前記支持部材が前記レンズホルダに２段に配置される間隙は１ｍｍ以下であることを特徴とする請求項３記載の対物レンズ駆動装置。
【請求項１２】
光ディスクにレーザ光を出射する対物レンズを保持するレンズホルダと、前記レンズホルダの一端を光ディスクのフォーカス方向に移動させる第１フォーカスコイルと、前記レンズホルダの他端を光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成した対物レンズ駆動装置を備えたことを特徴とする光ピックアップ装置。
【請求項１３】
光ディスクにレーザ光を出射する対物レンズを保持するレンズホルダと、前記レンズホルダの両端を光ディスクのフォーカス方向に移動させる第１フォーカスコイルと、前記レンズホルダの一端を光ディスクのフォーカス方向に移動させ他端を反対向きの光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成した対物レンズ駆動装置を備えたことを特徴とする光ピックアップ装置。
【請求項１４】
光ディスクにレーザ光を出射する対物レンズを保持するレンズホルダと、前記レンズホルダの一端を光ディスクのフォーカス方向に移動させる第１フォーカスコイルと、前記レンズホルダの他端を光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成した対物レンズ駆動装置を備えたことを特徴とする光ディスク装置。
【請求項１５】
光ディスクにレーザ光を出射する対物レンズを保持するレンズホルダと、前記レンズホルダの両端を光ディスクのフォーカス方向に移動させる第１フォーカスコイルと、前記レンズホルダの一端を光ディスクのフォーカス方向に移動させ他端を反対向きの光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成した対物レンズ駆動装置を備えたことを特徴とする光ディスク装置。
【発明の詳細な説明】
【技術分野】
【０００１】
本発明はパーソナルコンピュータ等の電子機器に好んで搭載される対物レンズ駆動装置、光ピックアップ装置及び光ディスク装置に関するものである。
【背景技術】
【０００２】
従来、光ディスク装置はＣＤ（Ｃｏｍｐａｃｔ  Ｄｉｓｃ）からＤＶＤ（Ｄｉｇｉｔａｌ  Ｖｅｒｓａｔｉｌｅ  Ｄｉｓｃ）へと進化し、さらに次世代ＤＶＤとして、ＢＤ（Ｂｌｕ−ｒａｙ  Ｄｉｓｃ）、ＨＤ  ＤＶＤ（Ｈｉｇｈ  Ｄｅｆｉｎｉｔｉｏｎ  ＤＶＤ）が開発されている。一方、光ディスク装置は単に光ディスクに記録されていた情報を再生するだけの機能に光ディスクに情報を記録する機能も付加されて進化してきた。光ディスク装置に搭載され、光ディスクに対し情報を記録再生する光ピックアップ装置もまた、上記進化に合わせて進化してきた。
【０００３】
図１６はＣＤとＤＶＤに対し記録再生ができる従来の光ピックアップ装置の対物レンズ駆動装置を示す図である。対物レンズ１０１は、レーザ光源（図示せず）から出射されたレーザ光を光ディスク（図示せず）の記録面で焦点が合うように集光させるレンズである。対物レンズ１０１はレンズホルダ１０２に固定される。レンズホルダ１０２はまた第１フォーカスコイル１０６ａ、第２フォーカスコイル１０６ｂ、及びトラッキングコイル１０７を固定している。レンズホルダ１０２は支持部材１０３の一端部を固定しており、支持部材１０３の他端部は固定部材１０４に固定される。６本の支持部材１０３はレンズホルダ１０２の両端に１列に３段で配置される。レンズホルダ１０２の固定される最上段と最下段の支持部材１０３の間隙は１．３２ｍｍ程度であり、中段と最上段の支持部材１０３の間隙、中段と最下段の支持部材１０３の間隙はそれぞれ０．６２ｍｍ程度である。また、固定部材１０４はヨーク１０５に固定され、ヨーク１０５は光ピックアップ装置のキャリッジ（図示せず）に固定される。また、ヨーク１０５は磁石１０８を固定している。対物レンズ１０１を搭載したレンズホルダ１０２は支持部材１０３によって弾性的に支持され、光ディスクのフォーカス方向とトラッキング方向に移動することができる。
【０００４】
トラッキングコイル１０７は互いに電気的に接続され、一組の第３導電部材１０３ｃのレンズホルダ１０２側の端部と接続される。また２つあるフォーカスコイル１０６はそれぞれ独立して第１フォーカスコイル１０６ａ及び第２フォーカスコイル１０６ｂとしてそれぞれ一組の第１導電部材１０３ａ及び一組の第２導電部材１０３ｂのレンズホルダ１０２側の端部と接続される。支持部材１０３の固定部材１０４側の端部はフォーカスコイル１０６及びトラッキングコイル１０７に電流を流す導電線（図示せず）と接続される。このように６本の支持部材１０３は第１フォーカスコイル１０６ａ、第２フォーカスコイル１０６ｂやトラッキングコイル１０７に電流を流す導電線の役割も果たす。そして、第１フォーカスコイル１０６ａ、第２フォーカスコイル１０６ｂ、トラッキングコイル１０７、磁石１０８は磁気回路を構成する。そして第１フォーカスコイル１０６ａ、第２フォーカスコイル１０６ｂ、トラッキングコイル１０７に電流が流れた時に電磁力で対物レンズ１０１を搭載したレンズホルダ１０２が光ディスクのフォーカス方向やトラッキング方向に移動することができるように配置されている。
【０００５】
ＤＶＤの記録の場合、光ディスクの特にトラッキング方向の対物レンズ１０１の傾きが特性に大きな影響を与える。そのため、ＤＶＤの記録に用いる光ピックアップ装置には対物レンズ１０１の傾き制御を行えるようにしてある。対物レンズ１０１の傾き制御を行うために、第１フォーカスコイル１０６ａ、第２フォーカスコイル１０６ｂに流す電流を独立に制御して、それぞれのフォーカスコイル１０６が発生する電磁力を制御する。
【０００６】
（特許文献１）では、さらに磁気回路を変更して対物レンズ駆動装置を薄くできるようにしている。
【特許文献１】特開２００３−２０３３７３号公報
【発明の開示】
【発明が解決しようとする課題】
【０００７】
光ディスク装置はその厚さを薄くする方向にも進化しており、それに搭載される光ピックアップ装置もまた薄型化が要求される。そのためには対物レンズ駆動装置も薄くすることが必要となる。ところが、さらに対物レンズ駆動装置を薄くしようとすると、最上段と最下段の支持部材の間隙をさらに狭める必要が出てくる。ところが、各支持部材間の間隔をさらに狭めなければいけないために、支持部材、レンズホルダ、固定部材を一体で成型しようとする場合には、各支持部材間に挿入するスペーサの厚さが確保できないという問題が発生してきた。また、支持部材をレンズホルダに設けた端子板に半田で固定しようとする場合には、端子板に半田用ランドを縦に並べて設けるために必要なスペースが確保できないという問題が発生してきた。すなわち、レンズホルダの両端に３段ずつの支持部材を厚さ方向に並べて最上段と最下段の支持部材の間隙をこれ以上狭めて配置することは困難になってきた。
【０００８】
本発明は、上記課題を解決するもので、対物レンズの光ディスクに対する傾き制御を行える薄型の対物レンズ駆動装置、光ピックアップ装置及び光ディスク装置を提供することを目的とする。
【課題を解決するための手段】
【０００９】
上記目的を達成するために、本発明は、光ディスクにレーザ光を出射する対物レンズを保持するレンズホルダと、前記レンズホルダの一端を光ディスクのフォーカス方向に移動させる第１フォーカスコイルと、前記レンズホルダの他端を光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成したことを特徴とする対物レンズ駆動装置とした。
【００１０】
また、光ディスクにレーザ光を出射する対物レンズを保持するレンズホルダと、前記レンズホルダの両端を光ディスクのフォーカス方向に移動させる第１フォーカスコイルと、前記レンズホルダの一端を光ディスクのフォーカス方向に移動させ他端を反対向きの光ディスクのフォーカス方向に移動させる第２フォーカスコイルと、前記レンズホルダを光ディスクのトラッキング方向に移動させるトラッキングコイルと、前記第１フォーカスコイルに電流を流す一組の第１導電部材と前記第２フォーカスコイルに電流を流す一組の第２導電部材と前記トラッキングコイルに電流を流す一組の第３導電部材とを備えた支持部材と、を具備し、前記支持部材は外層と内層との二層構造で形成され、前記一組の第１導電部材と前記一組の第２導電部材と前記一組の第３導電部材の任意の１本の導電部材は前記支持部材の前記外層または前記内層のいずれかを構成したことを特徴とする対物レンズ駆動装置としても良い。
【００１１】
レンズホルダの両端に配置される支持部材が外層と内層との二重構造で形成されているので、２段１列に配置されていれば、第１フォーカスコイルと一組の第１導電部材、第２フォーカスコイルと一組の第２導電部材、トラッキングコイルと一組の第３導電部材がそれぞれ接続できる。また、従来と同等の各支持部材の間隙でも、最上段と最下段の支持部材の間隙は、支持部材を３段に配置する場合に対してほぼ半分にすることができる。
【発明の効果】
【００１２】
本発明の対物レンズ駆動装置は、レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。
【発明を実施するための最良の形態】
【００１３】
本発明の請求項１の発明は、光ディスクにレーザ光を出射する対物レンズを保持するレンズホルダと、レンズホルダの一端を光ディスクのフォーカス方向に移動させる第１フォーカスコイルと、レンズホルダの他端を光ディスクのフォーカス方向に移動させる第２フォーカスコイルと、レンズホルダを光ディスクのトラッキング方向に移動させるトラッキングコイルと、第１フォーカスコイルに電流を流す一組の第１導電部材と第２フォーカスコイルに電流を流す一組の第２導電部材とトラッキングコイルに電流を流す一組の第３導電部材とを備えた支持部材と、を具備し、支持部材は外層と内層との二層構造で形成され、一組の第１導電部材と一組の第２導電部材と一組の第３導電部材の任意の１本の導電部材は支持部材の外層または内層のいずれかを構成した対物レンズ駆動装置である。
【００１４】
レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。
【００１５】
請求項２の発明は、光ディスクにレーザ光を出射する対物レンズを保持するレンズホルダと、レンズホルダの両端を光ディスクのフォーカス方向に移動させる第１フォーカスコイルと、レンズホルダの一端を光ディスクのフォーカス方向に移動させ他端を反対向きの光ディスクのフォーカス方向に移動させる第２フォーカスコイルと、レンズホルダを光ディスクのトラッキング方向に移動させるトラッキングコイルと、第１フォーカスコイルに電流を流す一組の第１導電部材と第２フォーカスコイルに電流を流す一組の第２導電部材とトラッキングコイルに電流を流す一組の第３導電部材とを備えた支持部材と、を具備し、支持部材は外層と内層との二層構造で形成され、一組の第１導電部材と一組の第２導電部材と一組の第３導電部材の任意の１本の導電部材は支持部材の外層または内層のいずれかを構成した対物レンズ駆動装置である。
【００１６】
レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。
【００１７】
請求項３の発明は、請求項１の発明または請求項２の発明において、支持部材はレンズホルダの両端に２段１列に配置されている対物レンズ駆動装置である。
【００１８】
レンズホルダの両端に配置され外層と内層との二重構造で形成されている支持部材が２段１列に配置されているので、外層と内層とを合わせた導電部材が合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。
【００１９】
請求項４の発明は、請求項１の発明または請求項２の発明において、外層と内層との間には絶縁部材が配置されている対物レンズ駆動装置である。
【００２０】
外層と内層との絶縁が保たれるので、信頼性を高めることができる。
【００２１】
請求項５の発明は、請求項４の発明において、内層と絶縁部材とで被覆導線を構成した対物レンズ駆動装置である。
【００２２】
支持部材は外層に被覆導線を挿入することで製造できるので、製造が容易である。
【００２３】
請求項６の発明は、請求項５の発明において、内層が第１フォーカスコイル、第２フォーカスコイルまたはトラッキングコイルの少なくとも１つを形成した対物レンズ駆動装置である。
【００２４】
第１フォーカスコイル、第２フォーカスコイルまたはトラッキングコイルを形成した被覆導線をそのまま内層として用いるため、これらのコイルと内層との接続に必要なスペースが不要になる。そのため対物レンズ駆動装置を小型にしやすい。
【００２５】
請求項７の発明は、請求項４の発明において、支持部材は同軸ケーブルである対物レンズ駆動装置である。
【００２６】
同軸ケーブルは安価であるので対物レンズ駆動装置を安価に製造することができる。
【００２７】
請求項８の発明は、請求項１の発明または請求項２の発明において、支持部材は第１フォーカスコイル、第２フォーカスコイル及びトラッキングコイルのいずれにも接続しない第４導電部材を含む対物レンズ駆動装置である。
【００２８】
第４導電部材を備えることで、支持部材を上下左右対称に配置することができ、バランス良くレンズホルダを弾性支持することができる。
【００２９】
請求項９の発明は、請求項１の発明において、第１導電部材を構成する外層数及び内層数と第２導電部材を構成する外層数及び内層数とは同じである対物レンズ駆動装置である。
【００３０】
外層と内層の電気抵抗が異なっていても第１導電部材と第２導電部材の電気抵抗をほぼ等しくすることができるため、第１フォーカスコイルと第２フォーカスコイルに流れる駆動電流もほぼ同じにできる。そのため、第１フォーカスコイルと第２フォーカスコイルの感度がほぼ同じとなるため、対物レンズの光ディスクに対する傾き制御を行いやすくなる。
【００３１】
請求項１０の発明は、請求項１の発明または請求項２の発明において、固定部材を固定する平坦部と、前記平坦部の両端から略同一の方向に伸びた腕部と、前記両腕部の間の平坦部を略直角に折り曲げた第１の立設ヨーク部と、前記両腕部を斜め方向の折り目で内側に前記第１の立設ヨーク部と同一側の略直角に折り曲げ前記両腕部の先端部を前記第１の立設ヨーク部に対向するように折り曲げた第２の立設ヨーク部と、を有するヨークを備える対物レンズ駆動装置である。
【００３２】
必要とするスペースが少ないので光ピックアップ装置を小型化しやすい。
【００３３】
請求項１１の発明は、請求項３の発明において、支持部材がレンズホルダに２段に配置される間隙は１ｍｍ以下である対物レンズ駆動装置である。
【００３４】
対物レンズ駆動装置の厚さを薄くすることができる。
【００３５】
請求項１２の発明は、光ディスクにレーザ光を出射する対物レンズを保持するレンズホルダと、レンズホルダの一端を光ディスクのフォーカス方向に移動させる第１フォーカスコイルと、レンズホルダの他端を光ディスクのフォーカス方向に移動させる第２フォーカスコイルと、レンズホルダを光ディスクのトラッキング方向に移動させるトラッキングコイルと、第１フォーカスコイルに電流を流す一組の第１導電部材と第２フォーカスコイルに電流を流す一組の第２導電部材とトラッキングコイルに電流を流す一組の第３導電部材とを備えた支持部材と、を具備し、支持部材は外層と内層との二層構造で形成され、一組の第１導電部材と一組の第２導電部材と一組の第３導電部材の任意の１本の導電部材は支持部材の外層または内層のいずれかを構成した対物レンズ駆動装置を備えた光ピックアップ装置である。
【００３６】
レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。そのため、この対物レンズ駆動装置を備えた光ピックアップ装置も薄型化ができる。
【００３７】
請求項１３の発明は、光ディスクにレーザ光を出射する対物レンズを保持するレンズホルダと、レンズホルダの両端を光ディスクのフォーカス方向に移動させる第１フォーカスコイルと、レンズホルダの一端を光ディスクのフォーカス方向に移動させ他端を反対向きの光ディスクのフォーカス方向に移動させる第２フォーカスコイルと、レンズホルダを光ディスクのトラッキング方向に移動させるトラッキングコイルと、第１フォーカスコイルに電流を流す一組の第１導電部材と第２フォーカスコイルに電流を流す一組の第２導電部材とトラッキングコイルに電流を流す一組の第３導電部材とを備えた支持部材と、を具備し、支持部材は外層と内層との二層構造で形成され、一組の第１導電部材と一組の第２導電部材と一組の第３導電部材の任意の１本の導電部材は支持部材の外層または内層のいずれかを構成した対物レンズ駆動装置を備えた光ピックアップ装置である。
【００３８】
レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。そのため、この対物レンズ駆動装置を備えた光ピックアップ装置も薄型化ができる。
【００３９】
請求項１４の発明は、光ディスクにレーザ光を出射する対物レンズを保持するレンズホルダと、レンズホルダの一端を光ディスクのフォーカス方向に移動させる第１フォーカスコイルと、レンズホルダの他端を光ディスクのフォーカス方向に移動させる第２フォーカスコイルと、レンズホルダを光ディスクのトラッキング方向に移動させるトラッキングコイルと、第１フォーカスコイルに電流を流す一組の第１導電部材と第２フォーカスコイルに電流を流す一組の第２導電部材とトラッキングコイルに電流を流す一組の第３導電部材とを備えた支持部材と、を具備し、支持部材は外層と内層との二層構造で形成され、一組の第１導電部材と一組の第２導電部材と一組の第３導電部材の任意の１本の導電部材は支持部材の外層または内層のいずれかを構成した対物レンズ駆動装置を備えた光ディスク装置である。
【００４０】
レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。そのため、この対物レンズ駆動装置を備えた光ディスク装置も薄型化ができる。
【００４１】
請求項１５の発明は、光ディスクにレーザ光を出射する対物レンズを保持するレンズホルダと、レンズホルダの両端を光ディスクのフォーカス方向に移動させる第１フォーカスコイルと、レンズホルダの一端を光ディスクのフォーカス方向に移動させ他端を反対向きの光ディスクのフォーカス方向に移動させる第２フォーカスコイルと、レンズホルダを光ディスクのトラッキング方向に移動させるトラッキングコイルと、第１フォーカスコイルに電流を流す一組の第１導電部材と第２フォーカスコイルに電流を流す一組の第２導電部材とトラッキングコイルに電流を流す一組の第３導電部材とを備えた支持部材と、を具備し、支持部材は外層と内層との二層構造で形成され、一組の第１導電部材と一組の第２導電部材と一組の第３導電部材の任意の１本の導電部材は支持部材の外層または内層のいずれかを構成した対物レンズ駆動装置を備えた光ディスク装置である。
【００４２】
レンズホルダの両端に配置される支持部材が外層と内層との二重構造で形成されているので、外層と内層とを合わせた導電部材が２段１列に配置されていれば合計８本となる。そのため、第１フォーカスコイルと一組の第１導電部材、第２フォーカスコイルと一組の第２導電部材、トラッキングコイルと一組の第３導電部材がそれぞれ接続できる。このように第１フォーカスコイル、第２フォーカスコイル、及びトラッキングコイルに独立して電流を流すことができるため、対物レンズの光ディスクに対する傾き制御が行える。しかも、従来と同等の各支持部材の間隙でも、最上段と最下段の支持部材の間隙は、支持部材を３段に配置する場合に対してほぼ半分にすることができるので、対物レンズ駆動装置の薄型化ができる。そのため、この対物レンズ駆動装置を備えた光ディスク装置も薄型化ができる。
【００４３】
（実施の形態１）
本実施の形態１について図面を参照しながら説明する。図１は本実施の形態１の対物レンズ駆動装置の構成図である。本実施の形態１において対物レンズ駆動装置１１は、対物レンズ１、フォーカスコイル６、トラッキングコイル７がレンズホルダ２の所定の位置に固定されている。また、磁石８を固定したヨーク５に固定部材４が固定されており、これを装置本体という。そして支持部材３の一端部がレンズホルダ２両端の端子板２ｄに、他端部が固定部４に固定されている。レンズホルダ２は支持部材３によって弾性支持される。支持部材３はレンズホルダ２の両端に２段で配置される。支持部材３の配置は光ディスクから近い側の段を上段、遠い側の段を下段という。
【００４４】
本実施の形態１において、上段と下段の支持部材３の間隙は０．６ｍｍとした。１ｍｍ以下であれば、従来の構成に対し、十分に対物レンズ駆動装置１１の厚さを薄くできる。０．８ｍｍであれば端子板２ｄ上の支持部材３を固定するための半田用ランド２ｆのためのスペースを余裕を持って確保できる。また、０．６ｍｍであれば、従来構成の各支持部材間の間隙とほぼ同等であり、半田用ランド２ｆのためのスペースをぎりぎり確保できる。そして、対物レンズ駆動装置１１の厚さを極力薄くすることができ、０．６ｍｍの場合、最上段と最下段の支持部材３の間隔はほぼ半分にすることができる。
【００４５】
図２（ａ）は本実施の形態１のレンズホルダの構成図、図２（ｂ）は図２（ａ）の左側の端子板の半田用ランドの配置と配線図、図２（ｃ）は図２（ａ）の右側の端子板の半田用ランドの配置と配線図である。レンズホルダ２は対物レンズ１がその上部に固定される第１貫通孔２ａを中央部に備える。また、フォーカスコイル６が固定される第２貫通孔２ｂを第１貫通孔２ａの両側に備える。第２貫通孔２ｂは光ディスクの略トラッキング方向に並べられる。また、外縁部に第２貫通孔２ｂを挟むように切り欠き部２ｃを設けた。切り欠き部２ｃにトラッキングコイル７が固定される。さらに光ディスクの略トラッキング方向のレンズホルダ２の両端部の側面に支持部材３を保持するための端子板２ｄを設けた。端子板２ｄは接着剤でレンズホルダ２本体に取り付けられる。図２（ｂ）、図２（ｃ）に示すように端子板２ｄはプリント基板であり、半田用ランド２ｅ、２ｆ、２ｇを備える。半田用ランド２ｅは半田用ランド２ｆまたは半田用ランド２ｇと端子板２ｄの中で予め配線されて導通されている。半田用ランド２ｅ、２ｆ、２ｇの配置と配線は設計により設定される。レンズホルダ２はガラスフィラー入り液晶ポリマ等で形成される。レンズホルダ２の両端部の側面の端子板２ｄの半田用ランド２ｆには支持部材３が上段と下段の２段で配置されるため、半田用ランド２ｆは上下２段に配置した。
【００４６】
図３は本実施の形態１の支持部材の構成図である。支持部材３は外層と内層の二層構造で形成されており、外層を外層導電部材３ａ、内層を内層導電部材３ｂで構成する。すなわち、中空で導電性の外層導電部材３ａと外層導電部材３ａの中空部に外層導電部材３ａから絶縁されて配置される内層導電部材３ｂとを備え、外層導電部材３ａと内層導電部材３ｂとの間に絶縁部材３ｃを配置する。本実施の形態１において支持部材３は管状の外層導電部材３ａの中空部に内層導電部材３ｂと絶縁部材３ｃとを備える被覆導線が配置される構成とした。支持部材３は外層導電部材３ａに被覆導線を挿入することで製造できるので、製造が容易である。外層導電部材３ａの断面は略円環状、内層導電部材３ｂの断面は略円形となる。外層導電部材３ａは端子板２ｄの半田用ランド２ｆに固定され、レンズホルダ２を弾性支持する役割の大半を担う。よって、外層導電部材３ａは銅合金（例えば銅−ベリリウム合金）等の弾性のある導電材料、内層導電部材３ｂは銅等の導電材料、絶縁部材３ｃはポリウレタン等の樹脂で構成される。弾性特性や機械的強度、電気抵抗の面から外層導電部材３ａの外径は０．１０ｍｍから０．１５ｍｍ、内径は０．０５ｍｍから０．１２ｍｍ、内層導電部材３ｂの直径は０．０３ｍｍから０．１０ｍｍ程度の範囲で選択するのが好ましい。本実施の形態１において、外層導電部材３ａの外径は０．１０ｍｍ、内径は０．０７ｍｍ、内層導電部材３ｂの直径は０．０５ｍｍとした。また、絶縁部材３ｃを配置することで確実に外層導電部材３ａと内層導電部材３ｂとの絶縁をすることができ、信頼性を高めることができる。
【００４７】
また、本実施の形態１において支持部材３は管状の外層導電部材３ａの中空部に内層導電部材３ｂと絶縁部材３ｃとを備える被覆導線が配置される構成とした。しかし、その構成に限るものではなく、中心の１本の導線である内層導電部材３ｂの周囲に絶縁部材３ｃを配置した周囲に網状の外層導電部材３ａを配置したいわゆる同軸ケーブルとしても良い。その際、半田用ランド２ｆに固定されるのは内層導電部材３ｂであり、内層導電部材３ｂがレンズホルダ２を弾性支持する役割の多くを担う。また、通常同軸ケーブルは管状の絶縁部材３ｃの中空部に外層導電部材３ａ、内層導電部材３ｂ、絶縁部材３ｃが配置されているが、その構成でも構わない。同軸ケーブルは安価であるので対物レンズ駆動装置１１を安価に製造することができる。
【００４８】
図４（ａ）は本実施の形態１の固定部材の構成図、図４（ｂ）はＦＰＣを取り付けた固定部材の構成図である。固定部材４は絶縁性材料であるガラスフィラー入り液晶ポリマ等で形成される。固定部材４はＦＰＣ（フレキシブルプリント基板）９を保持する保持部４ａと保持部４ａに設けられた支持部材３を通す貫通孔４ｂと開口４ｃとを備える。貫通孔４ｂ及び開口４ｃにはダンピングゲル１０が充填される。貫通孔４ｂは支持部材３を１本ずつ通す大きさではなく２本通せる大きさとした。そのことにより、レンズホルダ２の構造を簡単にするとともに、レンズホルダ２を弾性支持する支持部材３の可動範囲を大きく確保することができる。
【００４９】
ＦＰＣ９は接着剤で固定部材４に取り付けられる。ＦＰＣ９は支持部材３を通す貫通孔９ｂを備えた半田用ランド９ａと貫通孔を備えない半田用ランド９ｃとを備える。固定部材４の貫通孔４ｂとＦＰＣ９の貫通孔９ｂとは連なるように合わせられる。
【００５０】
図５（ａ）は本実施の形態１の磁石を配置したヨークの構成図、図５（ｂ）は他の例の構成図である。ヨーク５は鉄合金等の磁性体からなる。図５（ａ）に示すようにヨーク５は固定部材４が固定される平坦部５ａからレンズホルダ２が配置される側に向けて両端から腕部５ｂが略同一方向に伸びた構成になっている。ヨーク５には、同一側に折り曲げられた第１立設ヨーク部５ｃ、第２立設ヨーク部５ｄが２つずつ、及び側立設部５ｅ、５ｆ、立設部５ｇ、５ｈが設けられている。第１立設ヨーク部５ｃは腕部５ｂが伸びるすぐ内側の平坦部５ａから略直角に折り曲げられている。第２立設ヨーク部５ｄは腕部５ｂが内側に向かうように折れ曲がる所を互いに対向するように略直角に折り曲げ、さらに第１立設ヨーク部５ｃと対向するように折り曲げて形成される。側立設部５ｅ、５ｆは平坦部５ａの側部を対向するように折り曲げる。立設部５ｇは第１立設ヨーク部５ｃと第２立設ヨーク部５ｄの間で腕部５ｂの内側部分を互いに対向するように折り曲げて形成される。立設部５ｈは平坦部５ａの中央部に第１立設ヨーク部５ｃと同じ向きに折り曲げて形成される。なお、本実施の形態１において第１立設ヨーク部５ｃは２つであるが、設計により１つまたは３つ以上であっても構わない。
【００５１】
また、図５（ｂ）において、第２立設ヨーク部５ｄは腕部５ｂを斜め方向の折り目で略直角に立ち上がるように折り曲げ、さらに第１立設ヨーク部５ｃと対向するように先端部を折り曲げて形成される。この構造であると必要とするスペースは少なくて済む。そのため光ピックアップ装置を小型化しやすい。また、腕部５ｂは内側にＬ字状に曲がった形状とし、その曲がる箇所を直角に折り曲げる構造としても良い。折り曲げ箇所が１箇所になるという利点はあるものの、図５（ａ）や図５（ｂ）の構造の方が必要とするスペースは少なくて済む。
【００５２】
磁石８は永久磁石である。磁石８は第１立設ヨーク部５ｃ、第２立設ヨーク部５ｄの対向する面に嫌気硬化性接着剤、紫外線硬化接着剤、熱硬化性接着剤などによって接合されている。磁石８はトラッキングコイル７とずれた位置で対向するように配置されている。
【００５３】
図６（ａ）は本実施の形態１のフォーカスコイル、トラッキングコイルと支持部材との接続を示す固定部材と反対側から見た図、図６（ｂ）は固定部材側から見た図である。フォーカスコイル６は銅あるいは銅合金等で構成された被覆導電線が巻かれている。フォーカスコイル６は第１フォーカスコイル６ａと第２フォーカスコイル６ｂとで構成される。第１フォーカスコイル６ａ、第２フォーカスコイル６ｂはそれぞれレンズホルダ２の第２貫通孔２ｂの下面側の周囲に熱硬化性接着剤や紫外線硬化接着剤等で固定される。本実施の形態１において、第１フォーカスコイル６ａから引き出されたリード線６ｃの両端部は同じ側の端子板２ｄの半田用ランド２ｅで半田付けをされて固定される。また第２フォーカスコイル６ｂから引き出されたリード線６ｄの両端部は同じ側の半田用ランド２ｅで半田付けをされて固定される。一方、トラッキングコイル７は銅あるいは銅合金等で構成された被覆導電線が巻かれている。本実施の形態１のトラッキングコイル７は４つの巻線を同一の導電線によって形成されており、１つのコイルである。トラッキングコイル７はレンズホルダ２の切り欠き部２ｃのそれぞれ熱硬化性接着剤や紫外線硬化接着剤等で固定される。各切り欠き部２ｃに配置された各トラッキングコイル７はリード線７ａでつながれており、トラッキングコイル７のリード線７ａの両端部はそれぞれ半田用ランド２ｅで半田付けをされて固定される。
【００５４】
支持部材３はレンズホルダ２の両端の外層導電部材３ａが端子板２ｄの上下２段に配置された半田用ランド２ｆに１本ずつ半田付けをされて固定される。すなわち支持部材３はレンズホルダ２の両端に２段１列に配置される。また、レンズホルダ２の両端の内層導電部材３ｂのうちの１本が端子板２ｄの半田用ランド２ｇで半田付けをされて固定される。半田用ランド２ｅは半田用ランド２ｆまたは半田用ランド２ｇと端子板２ｄの中で導通されているため、第１フォーカスコイル６ａ、第２フォーカスコイル６ｂ、トラッキングコイル７は４本の支持部材３を構成する４本の外層導電部材３ａまたは２本の内層導電部材３ｂのいずれか２本ずつの導電部材と電気的に導通される。この第１フォーカスコイル６ａと接続する２本一組の導電部材を第１導電部材３ｄ、第２フォーカスコイル６ｂと接続する２本一組の導電部材を第２導電部材３ｅ、トラッキングコイル７と接続する２本一組の導電部材を第３導電部材３ｆという。本実施の形態１において第１導電部材３ｄは図６（ａ）における左側の２本の外層導電部材３ａ、第２導電部材３ｅは右側の２本の外層導電部材３ａ、第３導電部材３ｆは両側の下段の２本の内層導電部材３ｂとした。また導電部材は第１フォーカスコイル６ａ、第２フォーカスコイル６ｂ及びトラッキングコイル７のいずれにも接続しない第４導電部材３ｇを含んでいる。本実施の形態１において第４導電部材３ｇは半田用ランド２ｇと接続されない両側の上段の２本の内層導電部材３ｂである。第１導電部材３ｄ、第２導電部材３ｅ、第３導電部材３ｆ、第４導電部材３ｇと外層導電部材３ａ、内層導電部材３ｂとの組み合わせはこれに限るものではなく、設計で決めて良い。支持部材３の本数は４本であり、支持部材３を上下左右対称に配置することができ、バランス良くレンズホルダ２を弾性支持することができる。また、第４導電部材３ｇを含めて外層導電部材３ａと内層導電部材３ｂを合わせた電流を流すことができる導電部材の本数は８本であり、第１フォーカスコイル６ａ、第２フォーカスコイル６ｂ、トラッキングコイル７のすべてに接続するのに必要な導電部材の本数である６本を確保できている。
【００５５】
なお、第４導電部材３ｇを廃止し、トラッキングコイル７は二組の第３導電部材３ｆと接続しても構わない。両端の端子板２ｄに半田用ランド２ｇを１つずつ増やし、端子板２ｄの中でトラッキングコイル７とつながる半田用ランド２ｅと接続しておく。残った内層導電部材３ｂをその新たに設けた半田用ランド２ｇで半田付けをして固定すれば良い。第３導電部材３ｆを二組使うことで、第３導電部材３ｆの電気抵抗を半分にすることができる。そのためトラッキングコイル７に駆動電流を多く流すことができ、対物レンズ駆動装置１１の感度を上げることができる。本実施の形態１の場合、第１フォーカスコイル６ａまたは第２フォーカスコイル６ｂのいずれか一方と接続する導電部材を二組とするのは、バランスが崩れるため好ましくない。しかしレンズホルダ２の両端に３本以上の支持部材３を配置する場合は、第１導電部材３ｄ及び第２導電部材３ｅを二組として構わない。
【００５６】
また、外層導電部材３ａと内層導電部材３ｂの電気抵抗が異なる場合には、第１導電部材３ｄを構成する外層導電部材３ａの本数及び内層導電部材３ｂの本数と第２導電部材３ｅを構成する外層導電部材３ａの本数及び内層導電部材３ｂの本数とは同じであることが望ましい。外層導電部材３ａと内層導電部材３ｂの電気抵抗が異なっていても第１導電部材３ｄと第２導電部材３ｅの電気抵抗をほぼ等しくすることができるため、第１フォーカスコイル６ａと第２フォーカスコイル６ｂに流れる駆動電流もほぼ同じにできる。そのため、第１フォーカスコイル６ａと第２フォーカスコイル６ｂの感度がほぼ同じとなるため、対物レンズ１の光ディスクに対する傾き制御を行いやすくなる。
【００５７】
支持部材３の弾性特性は、外層導電部材３ａ、内層導電部材３ｂ、絶縁部材３ｃの弾性特性を合成したものとなるが、直接レンズホルダ２に固定される外層導電部材３ａの影響が最も大きい。
【００５８】
本実施の形態１の第１フォーカスコイル６ａ及び第２フォーカスコイル６ｂは単独の巻線を用いたが、それに限るものではない。トラッキングコイル６のように１本の被覆導電線で複数の巻線を形成したコイルとしても良い。また、複数の巻線を連結したコイルとしても良い。また、トラッキングコイル７は４つの巻線で１つのコイルとしたが、それに限るものではない。別の個数のトラッキングコイルを１つとしても良い。
【００５９】
また、本実施の形態１においては第１フォーカスコイル６ａと第２フォーカスコイル６ｂとを合わせて２つのフォーカスコイル６を用いたが、本実施の形態１の支持部材３はトラッキングコイル７と合わせて４つまでのコイルを接続することができるので、３つのフォーカスコイル６を用いても良いし、２つのトラッキングコイル７を用いても良い。
【００６０】
このように端子板２ｄの外側の面でフォーカスコイル６やトラッキングコイル７が支持部材３と接続されるようにした。そのため接続の作業をするためのスペースが確保されるため、製造が容易であるとともに製造コストを低く抑制できる。
【００６１】
図７は本実施の形態１の固定部材側における支持部材と導電線の接続を示す図である。支持部材３は、固定部材４の貫通孔４ｂ、固定部材４に固定されたＦＰＣ９の貫通孔９ｂを貫通し、固定部材４とは反対側のＦＰＣ９の半田用ランド９ａで外層導電部材３ａが半田付けされて固定される。すなわち、固定部材４は支持部材３を介してレンズホルダ２を変位可能に弾性的に片持ち支持している。端子板２ｄの半田用ランド２ｇに半田付けされた内層導電部材３ｂが半田用ランド９ｃに半田付けされて固定される。固定部材４はヨーク５に固定される。ＦＰＣ９の半田付けをする面が固定部材４のレンズホルダ２と反対側に設けられているため、接続の作業をするスペースが確保されて製造が容易であるとともに製造コストを低く抑制できる。前述のように第４導電部材３ｇを廃止し、トラッキングコイル７を二組の第３導電部材３ｆと接続する際には、両側の半田用ランド９ｃを１つずつ増やし、ＦＰＣ９の中でそれぞれの側の半田用ランド９ｃを導通しておく。半田用ランド９ｃと接続されていなかった方の内層導電部材３ｂを増やした方の半田用ランド９ｃで半田付けして固定すれば良い。
【００６２】
また、固定部材４の開口４ｃはダンピングゲル１０が充填されており、その部分で支持部材３はダンピングゲル１０に覆われている。ダンピングゲル１０はシリコン系樹脂やアクリル系樹脂であり、固定部材４からレンズホルダ２に伝わる振動や衝撃を和らげる。
【００６３】
なお、本実施の形態１において、支持部材３をレンズホルダ２の両端に２段１列に配置したが、支持部材３を６本以上に増やす必要が生じた場合は、２段２列等２列以上の複数列に列数を増やして配置しても構わない。また、段数を増やすことは対物レンズ駆動装置１１の厚さを増すことであり、好ましくない。しかし、対物レンズ駆動装置１１の厚さの制約が無ければ、３段以上に段数を増やしても構わない。支持部材３を６本以上に増やす場合とは、例えば、フォーカスコイル６やトラッキングコイル７の個数を増やして、フォーカス制御やトラッキング制御の精度を向上させる場合がある。またフォーカスコイル６やトラッキングコイル７の発熱による温度上昇を抑えるために冷却装置をレンズホルダ２に搭載する場合等もある。
【００６４】
次に製造方法について説明する。図８（ａ）は本実施の形態１の対物レンズ駆動装置の製造方法を示す図の端子板、フォーカスコイルとトラッキングコイルを取り付けたレンズホルダの完成図、図８（ｂ）はＦＰＣを取り付けた固定部材の完成図、図８（ｃ）は支持部材の完成図、図８（ｄ）は支持部材とレンズホルダと固定部材の組み立ての完成図、図８（ｅ）は対物レンズの取り付けの完成図、図８（ｆ）は磁石を配置したヨークの取り付けの完成図、図８（ｇ）はダンピングゲルを注入した対物レンズ駆動装置の完成図である。
【００６５】
まず図８（ａ）に示すように成型したレンズホルダ２に端子板２ｄ、フォーカスコイル６及びトラッキングコイル７を固定する。固定は紫外線硬化型接着剤、熱硬化型接着剤、嫌気性接着剤等を用いて行う。さらにリード線６ｃ、６ｄ、７ａを端子板２ｄの半田用ランド２ｅに半田付けしておく。
【００６６】
また図８（ｂ）に示すように固定部材４にＦＰＣ９を固定する。その際、固定部材４の貫通孔４ｂとＦＰＣ９の貫通孔９ｂとが連なるように合わせる。固定は粘着剤、紫外線硬化型接着剤、熱硬化型接着剤、嫌気性接着剤等を用いて行う。ネジなどを用いても良い。
【００６７】
また図８（ｃ）に示すように支持部材３は中空の外層導電部材３ａに内層導電部材３ｂの周囲に絶縁部材３ｃを配した被覆導線を予め製造しておく。外層導電部材３ａは直径の大きな管状部材を引き伸ばして製造する。板状部材を管状に丸めても構わない。
【００６８】
次に図８（ｄ）に示すように支持部材３とレンズホルダ２と固定部材４とを組み立てる。支持部材３の一端部を貫通孔４ｂ及び貫通孔９ｂに通し、他端部を端子板２ｄの半田用ランド２ｆのところに配置する。外層導電部材３ａと半田用ランド２ｆ及び半田用ランド９ａとを半田付けして固定する。さらに内層導電部材３ｂと半田用ランド２ｇ及び半田用ランド９ｃとを半田付けして固定する。
【００６９】
次に図８（ｅ）に示すように対物レンズ１をレンズホルダ２の第１貫通孔２ａの上部に固定する。固定は紫外線硬化型接着剤、熱硬化型接着剤、嫌気性接着剤等を用いて行う。
【００７０】
次に図８（ｆ）に示すように固定部材４を予め磁石８をヨーク５の第１立設ヨーク部５ｃ及び第２立設ヨーク部５ｄに固定しておいたヨーク５の平坦部５ａに固定する。その際、ヨーク５の立設部５ｇがレンズホルダ２の第２貫通孔２ｂを貫くように組み合わせる。磁石８のヨーク５への固定は紫外線硬化型接着剤、熱硬化型接着剤、嫌気性接着剤等を用いて行う。また、固定部材４のヨーク５への固定は紫外線硬化型接着剤、熱硬化型接着剤、嫌気性接着剤等を用いて行う。いずれの固定も上記接着剤を組み合わせて使用しても良い。また、この工程において、ヨーク５に対する対物レンズ１の姿勢を適正なものに調整することが望ましい。対物レンズ駆動装置１１はヨーク５で光ピックアップ装置本体に固定されるため、光ピックアップ装置本体に対し対物レンズ１の姿勢を適正にすることができるためである。
【００７１】
最後に図８（ｇ）に示すようにダンピングゲル１０を固定部材４の開口４ｃに注入して支持部材３の周囲を覆い、紫外線を照射して硬化させて完成とする。
【００７２】
ヨーク５に対する対物レンズ１の姿勢を適正なものに調整しなくても良い場合には、上記の製造方法でなくても構わない。例えば、まずレンズホルダ２に端子板２ｄ、フォーカスコイル６及びトラッキングコイル７を固定する。さらにリード線６ｃ、６ｄ、７ａを端子板２ｄの半田用ランド２ｅに半田付けする。また、固定部材４にＦＰＣ９を固定する。また、支持部材３を製造しておく。次に予め磁石８を固定しておいたヨーク５に固定部材４を固定する。次に支持部材３とレンズホルダ２とを取り付け、外層導電部材３ａと内層導電部材３ｂの半田付けを行う。次に対物レンズ１をレンズホルダ２に固定する。最後にダンピングゲル１０を注入、硬化して、完成とする。このような製造方法とすると、ヨーク５に固定部材４が固定された状態で支持部材３とレンズホルダ２が取り付けられるので、取り扱いが容易である。
【００７３】
レンズホルダ２に搭載された対物レンズ１を光ディスクのフォーカス方向に移動させるには、第１フォーカスコイル６ａまたは第２フォーカスコイル６ｂの少なくとも一方へ電流を流すようにする。その経路は、第１フォーカスコイル６ａの場合、駆動電流がＦＰＣ９を通り、第１導電部材３ｄから第１フォーカスコイル６ａへ流れ、さらに反対側の第１導電部材３ｄからＦＰＣ９に戻る経路である。第２フォーカスコイル６ｂの場合、駆動電流がＦＰＣ９を通り、第２導電部材３ｅから第２フォーカスコイル６ｂへ流れ、さらに反対側の第２導電部材３ｅからＦＰＣ９に戻る経路である。すると第１フォーカスコイル６ａまたは第２フォーカスコイル６ｂに流れた電流に応じて磁石８の磁界との間で電磁力が発生し、対物レンズ１はフォーカス方向に移動する。第１フォーカスコイル６ａに流す駆動電流と第２フォーカスコイル６ｂに流す駆動電流を変えるとそれぞれのコイルに発生する電磁力が異なるためにフォーカス方向に移動する量も変わり、対物レンズ１の姿勢を変えることができる。また、対物レンズ１を光ディスクのトラッキング方向に移動させるには、駆動電流がＦＰＣ９、第３導電部材３ｆからトラッキングコイル７に流れ、さらに反対側の第３導電部材３ｆ、ＦＰＣ９に戻るようにする。するとトラッキングコイル７に流れた電流に応じて磁石８の磁界との間で電磁力が発生し、対物レンズ１はトラッキング方向に移動する。
【００７４】
以上のように構成され、作製された本実施の形態１の対物レンズ駆動装置１１は、レンズホルダ２の両端に配置され外層と内層との二重構造で形成されている支持部材３が２段１列に配置されているので、外層導電部材３ａと内層導電部材３ｂとを合わせた導電部材が合計８本となる。そのため、第１フォーカスコイル６ａと一組の第１導電部材３ｄ、第２フォーカスコイル６ｂと一組の第２導電部材３ｅ、トラッキングコイル７と一組の第３導電部材３ｆがそれぞれ接続できる。このように第１フォーカスコイル６ａ、第２フォーカスコイル６ｂ、及びトラッキングコイル７に独立して電流を流すことができるため、対物レンズ１の光ディスクに対する傾き制御が行える。しかも、従来と同等の各支持部材３の間隙でも、最上段と最下段の支持部材３の間隙は、支持部材３を３段に配置する場合に対してほぼ半分にすることができるので、対物レンズ駆動装置１１の薄型化ができる。
【００７５】
（実施の形態２）
本実施の形態２について図面を参照しながら説明する。本実施の形態２は実施の形態１の対物レンズ駆動装置に対し、第１フォーカスコイル、第２フォーカスコイルの構成が異なる対物レンズ駆動装置である。第１フォーカスコイル、第２フォーカスコイルの構成及びそれに伴う支持部材との接続を除いては実施の形態１の対物レンズ駆動装置及びその製造方法の説明と同じなので、その説明を援用する。図９は本実施の形態２の第１フォーカスコイルと第２フォーカスコイルの巻線方向を示す図、図１０（ａ）は本実施の形態２のフォーカスコイル、トラッキングコイルと支持部材との接続を示す固定部材と反対側から見た図、図１０（ｂ）は固定部材側から見た図である。実施の形態１と同様にフォーカスコイル１２は第１フォーカスコイル１２ａと第２フォーカスコイル１２ｂとからなる。
【００７６】
図９において、第１フォーカスコイル１２ａは同じ方向に巻かれた２つの巻線を１本のリード線１２ｃで形成したコイルである。同じ方向に巻かれた２つの巻線をリード線１２ｃでつないでも良い。また、第２フォーカスコイル１２ｂは互いに逆方向に巻かれた２つの巻線を１本のリード線１２ｄで形成したコイルである。互いに逆方向に巻かれた２つの巻線をリード線１２ｄでつないでも良い。レンズホルダ２に固定する際には一方の第２貫通孔２ｂには第１フォーカスコイル１２ａの一方の巻線と第２フォーカスコイル１２ｂの一方の巻線を重ね、他方の第２貫通孔２ｂには第１フォーカスコイル１２ａの他方の巻線と第２フォーカスコイル１２ｂの他方の巻線を重ねて配置する。
【００７７】
図１０において、支持部材３はレンズホルダ２の両端の端子板２ｄに２段１列で配置される。端子板２ｄの半田用ランド２ｅ、２ｆ、２ｇの配置と配線は図２（ｂ）、図２（ｃ）に示す通りである。支持部材３の外層導電部材３ａは端子板２ｄの半田用ランド２ｆで半田付けされ、両端の内層導電部材３ｂの内の１本ずつは端子板２ｄの半田用ランド２ｇで半田付けされる。第１フォーカスコイル１２ａのリード線１２ｃ、第２フォーカスコイル１２ｂのリード線１２ｄ及びトラッキングコイル７のリード線７ａの端部は端子板２ｄに配置された半田用ランド２ｅで半田付けされる。また、半田用ランド２ｅは半田用ランド２ｆまたは半田用ランド２ｇと端子板２ｄ内で予め接続されている。そのため第１フォーカスコイル１２ａの２本のリード線１２ｃ、第２フォーカスコイル１２ｂの２本のリード線１２ｄ及びトラッキングコイル７の２本のリード線７ａはそれぞれ支持部材３の外層導電部材３ａまたは内層導電部材３ｂのいずれか２本ずつの導電部材と接続される。第１フォーカスコイル１２ａの２本のリード線１２ｃと接続された導電部材を第１導電部材３ｄとする。第２フォーカスコイル１２ｂのリード線１２ｄと接続された導電部材を第２導電部材３ｅとする。トラッキングコイル７のリード線７ａと接続された導電部材を第３導電部材３ｆとする。どのコイルにも接続されない導電部材を第４導電部材３ｇとする。本実施の形態２において第１導電部材３ｄは図１０（ａ）、図１０（ｂ）における両側の上段の外層導電部材３ａ、第２導電部材３ｅは両側の下段の外層導電部材３ａ、第３導電部材３ｆは両側の下段の内層導電部材３ｂ、第４導電部材３ｇは両側の上段の内層導電部材３ｂとした。しかし組み合わせはこれに限るものではなく、設計で決めて良い。
【００７８】
第１フォーカスコイル１２ａには第１導電部材３ｄから駆動電流が流れ、第１導電部材３ｄに戻る。第２フォーカスコイル１２ｂには第２導電部材３ｅから駆動電流が流れ、第２導電部材３ｅに戻る。第１フォーカスコイル１２ａに駆動電流を流すと、第１フォーカスコイル１２ａの２つの巻線には同じ方向の電磁力が発生し、レンズホルダ２の両端はレンズホルダ２の平行な姿勢を保ったまま光ディスクのフォーカス方向に移動する。すなわち第１フォーカスコイル１２ａに駆動電流を流すと、対物レンズ１全体を光ディスクのフォーカス方向に移動させることができる。一方、第２フォーカスコイル１２ｂに駆動電流を流すと、巻線の方向が逆なので第２フォーカスコイル１２ｂの２つの巻線には互いに反対方向の電磁力が発生する。そのためレンズホルダ２の一端は光ディスクのフォーカス方向に移動し、他端は反対向きのフォーカス方向に移動する。したがって、第２フォーカスコイル１２ｂに駆動電流を流すと、対物レンズ１の光ディスクに対する傾き制御が行える。
【００７９】
なお、第４導電部材３ｇを廃止し、第１フォーカスコイル１２ａを二組の第１導電部材３ｄと接続するか、第２フォーカスコイル１２ｂを二組の第２導電部材３ｅと接続するか、トラッキングコイル７を二組の第３導電部材３ｆと接続するかのいずれか１つを選択しても良い。本実施の形態２の場合、第１フォーカスコイル１２ａは対物レンズ１全体をフォーカス方向に移動させる機能を有し、第２フォーカスコイル１２ｂは対物レンズ１の傾き制御の機能を有するため、独立して働かせることができる。そのため第１フォーカスコイル１２ａは二組の第１導電部材３ｄと接続させることができ、第２フォーカスコイル１２ｂは二組の第２導電部材３ｅと接続させることができる。二組の導電部材を使うことで、導電部材の電気抵抗を減らすことができる。二組の導電部材に接続したコイルには駆動電流を多く流すことができるので、対物レンズ駆動装置１１の感度を上げることができる。またレンズホルダ２の両端にそれぞれ３本以上の支持部材３を配置する場合は、第１導電部材３ｄ、第２導電部材３ｅ及び第３導電部材３ｆを二組として構わない。
【００８０】
以上のように構成され、作製された本実施の形態２の対物レンズ駆動装置１１は、レンズホルダ２の両端に配置され外層と内層との二重構造で形成されている支持部材３が２段１列に配置されているので、外層導電部材３ａと内層導電部材３ｂとを合わせた導電部材が合計８本となる。そのため、第１フォーカスコイル１２ａと一組の第１導電部材３ｄ、第２フォーカスコイル１２ｂと一組の第２導電部材３ｅ、トラッキングコイル７と一組の第３導電部材３ｆがそれぞれ接続できる。このように第１フォーカスコイル１２ａ、第２フォーカスコイル１２ｂ、及びトラッキングコイル７に独立して電流を流すことができるため、対物レンズ１の光ディスクに対する傾き制御が行える。しかも、従来と同等の各支持部材３の間隙でも、最上段と最下段の支持部材３の間隙は、支持部材３を３段に配置する場合に対してほぼ半分にすることができるので、対物レンズ駆動装置１１の薄型化ができる。
【００８１】
（実施の形態３）
本実施の形態３について図面を参照しながら説明する。本実施の形態３は第１フォーカスコイル、第２フォーカスコイルまたはトラッキングコイルの少なくとも１つを形成した被覆導線をそのまま内層導電部材として用いた対物レンズ駆動装置である。内層導電部材とフォーカスコイル、トラッキングコイルとの接続、及び端子板を除いた構成は、実施の形態１または実施の形態２と同じであるのでその説明を援用する。
【００８２】
図１１（ａ）は本実施の形態３のフォーカスコイル、トラッキングコイルと支持部材との接続を示す固定部材と反対側から見た図、図１１（ｂ）は固定部材側から見た図である。実施の形態１、実施の形態２と同様にフォーカスコイル１３は第１フォーカスコイル１３ａと第２フォーカスコイル１３ｂとからなる。
【００８３】
本実施の形態３においてトラッキングコイル１４のリード線１４ａをそのまま内層導電部材３ｈとして用いた。またフォーカスコイル１３の巻線は実施の形態１と同じにした。端子板２ｈはそれぞれ２つの半田用ランド２ｅと２つの半田用ランド２ｆを備えている。すなわち端子板２ｈは図２（ｂ）、図２（ｃ）の端子板２ｄの半田用ランド２ｇと半田用ランド２ｇに接続していた半田用ランド２ｅとを廃止したものである。一方の端子板２ｈの半田用ランド２ｅには第１フォーカスコイル１３ａの両端のリード線１３ｃが半田付けされている。また、他方の端子板２ｈの半田用ランド２ｅには第２フォーカスコイル１３ｂの両端のリード線１３ｄが半田付けされている。また、それぞれの半田用ランド２ｆには支持部材３の外層導電部材３ａが半田付けされている。
【００８４】
実施の形態１、実施の形態２と同様に半田用ランド２ｅと半田用ランド２ｆとはそれぞれ端子板２ｈ上で予め接続されて半田用ランド２ｅと半田用ランド２ｆとの組がそれぞれの端子板２ｈで２組ずつ形成されている。トラッキングコイル１４を形成したリード線１４ａは被覆導線であり、そのまま絶縁部材３ｉに覆われた内層導電部材３ｈとして外層導電部材３ａの中空部に通され、さらにＦＰＣ９の半田用ランド９ｃに直接半田付けされる。本実施の形態３において第１導電部材３ｄは図１１（ａ）における左側の２本の外層導電部材３ａ、第２導電部材３ｅは右側の２本の外層導電部材３ａ、第３導電部材３ｆは両側の下段の２本の内層導電部材３ｈ、第４導電部材３ｇは両側の上段の２本の内層導電部材３ｈとした。そして第３導電部材３ｆを構成する２本の内層導電部材３ｈはトラッキングコイル１４を形成している。
【００８５】
本実施の形態３における一方の端子板２ｈの半田用ランド２ｅと半田用ランド２ｆとの合計数は実施の形態１や実施の形態２における一方の端子板２ｄの半田用ランド２ｅと半田用ランド２ｆと半田用ランド２ｇの合計数より２つ少ない。すなわち、その分だけ端子板２ｈの大きさを端子板２ｄの大きさより小さくしたり、半田用ランド２ｅと半田用ランド２ｆの間隔を広げて製造を容易にしたりすることができる。
【００８６】
なお、本実施の形態３においてフォーカスコイル１３の巻線を実施の形態１と同じにし、トラッキングコイル１４の両端を内層導電部材３ｈとした。しかし、それに限るものではない。第１フォーカスコイル１３ａの一端と第２フォーカスコイル１３ｂの一端を内層導電部材３ｈとして用いても良い。また、片側２本の内層導電部材３ｈを用いれば、第１フォーカスコイル１３ａ及び第２フォーカスコイル１３ｂの両端を内層導電部材３ｈとすることもできる。その際、片側２本の外層導電部材３ａの一方はいずれのフォーカスコイル１３、トラッキングコイル１４とも接続される必要はない。しかし、フォーカスコイル１３、トラッキングコイル１４を合計四組とし、片側２本ずつの外層導電部材３ａ、内層導電部材３ｈを全て用いても構わない。必要な半田用ランド２ｅは片側２つのままであるので、端子板２ｈの大きさを小さくしたまま、フォーカスコイル１３、トラッキングコイル１４を合計四組駆動することができる。
【００８７】
フォーカスコイル１３の巻線を実施の形態２と同じにしても同様である。この場合、第１フォーカスコイル１３ａ、第２フォーカスコイル１３ｂ、トラッキングコイル１４のうちいずれか二組までを内層導電部材３ｈで形成することができる。
【００８８】
以上のように本実施の形態３の対物レンズ駆動装置１１は、第１フォーカスコイル１３ａ、第２フォーカスコイル１３ｂまたはトラッキングコイル１４を形成した被覆導線をそのまま内層導電部材３ｈとして用いるため、これらのコイルと内層導電部材３ｈとの接続に必要なスペースが不要になる。そのため対物レンズ駆動装置を小型にしやすい。
【００８９】
（実施の形態４）
本実施の形態４について図面を参照しながら説明する。本実施の形態４は実施の形態１、実施の形態２または実施の形態３で説明した対物レンズ駆動装置を用いた光ピックアップ装置である。図１２は本実施の形態４の光ピックアップ装置の光学系の構成図、図１３は本実施の形態４の光ピックアップ装置の上面からの構成図である。本実施の形態４の光ピックアップ装置３５は、対物レンズ１を搭載した対物レンズ駆動装置１１が基台３４に固定される。さらに、レーザ光源２１、回折素子２２、ビームスプリッタ２３、ミラー２４、コリメートレンズ２５、波長板２６、角度変換プリズム２７、立ち上げプリズム２８、非点収差レンズ３０、受光センサ３１、フィルタ３２、前光モニタ３３が直接または取り付け部材を介して基台３４に固定される。
【００９０】
まず、構成について説明する。対物レンズ１及び対物レンズ駆動装置１１は実施の形態１、実施の形態２または実施の形態３で説明したものと同じであるので、その説明を援用する。
【００９１】
レーザ光源２１は複数の発光源を近接して設けた光源であるいわゆる２波長半導体レーザとした。２波長半導体レーザはＤＶＤ用に用いる波長λ１（約６５０ｎｍ）のレーザ光を出射する発光源とＣＤ用に用いる波長λ２（約７８０ｎｍ）のレーザ光を出射する発光源を有する。両発光源間の距離は１１０μｍ程度である。２波長半導体レーザには１つの半導体基板に複数の波長の発光源を集積化したいわゆるモノリシック型２波長半導体レーザと、複数の異なる波長のレーザ素子を１つのパッケージ内に隣接して配置したいわゆるハイブリッド型２波長半導体レーザとがある。本実施の形態４では前者を用いた。また、レーザ光源２１は、サブマウントを介してレーザ素子をフレームに固定したいわゆるフレームレーザを用いることが、光ピックアップ装置３５を薄くするという観点から好ましい。なお、レーザ光源２１から出射される波長λ１のレーザ光も波長λ２のレーザ光もＰ偏光となるようにしてある。
【００９２】
回折素子２２は、光学ガラス等の透明基板に、波長λ１のレーザ光を回折して０次光と±１次光に分離し波長λ２のレーザ光をそのまま透過する回折格子と波長λ１のレーザ光をそのまま透過し波長λ２のレーザ光を回折して０次光と±１次光に分離する回折格子とを形成した構成である。
【００９３】
このような回折素子２２としては透明基板の両面に凹凸のみを形成し、使用波長と屈折率と格子深さと回折効率とを吟味し、波長λ１のレーザ光のみ回折する回折格子と波長λ２のレーザ光のみ回折する回折格子とを設ければ良い。また２つの材料で回折格子を形成し、一方の材料で異常分散現象を起こして一方の波長では２つの材料の屈折率を等しくし、他方の波長では異なるようにした回折格子を組み合わせても良い。
【００９４】
ビームスプリッタ２３は光学ガラスや光学プラスチックで作製され、内部に傾斜面２３ａを有する。傾斜面２３ａには偏光分離膜が形成される。偏光分離膜はＰ偏光のレーザ光の大半を透過させて一部を反射させ、Ｓ偏光のレーザ光を全反射させる。
【００９５】
ミラー２４は光学系をコンパクトにするために光路を折り曲げるためのものである。ミラー２４の表面には全反射膜が形成されている。
【００９６】
コリメートレンズ２５はレーザ光源２１から出射されて発散光であるレーザ光を略平行光にするためのレンズである。コリメートレンズ２５は光学ガラスまたは光学プラスチックで作製される。
【００９７】
波長板２６はＰ偏光であるレーザ光源２１から出射されたレーザ光の偏光を円偏光に変換し、光ディスク２９で反射された円偏光であるレーザ光をＳ偏光に変換する。波長板２６は波長λ１のレーザ光にも波長λ２のレーザ光にも作用するよう屈折率、厚みが設定されている。
【００９８】
角度変換プリズム２７は、立ち上げプリズム２８に入射するレーザ光の角度を最適化して立ち上げプリズム２８の厚さを極力薄くするために、それまで光ディスク２９の面に略平行であったレーザ光に光ディスク２９に直角な方向に角度を与えるものである。
【００９９】
立ち上げプリズム２８は対物レンズ１の真下に配置され、光ディスク２９に直角な方向にレーザ光を立ち上げるためのプリズムである。
【０１００】
光ディスク２９はＣＤ用がＣＤ、ＣＤ−ＲＯＭ、ＣＤ−Ｒ／ＲＷ、ＤＶＤ用がＤＶＤ−ＲＯＭ、ＤＶＤ±Ｒ／ＲＷ、ＤＶＤ−ＲＡＭなどであり、ＣＤ用もＤＶＤ用も再生専用の媒体を除いて全て記録も再生も可能なものである。また、本実施の形態４ではＣＤ用とＤＶＤ用としているが、その組み合わせだけでなく、いわゆるＢＤやＨＤ  ＤＶＤ等との組み合わせでも一般性を失わない。
【０１０１】
非点収差レンズ３０は、非点収差法によるフォーカス制御を行うために光ディスク２９で反射されたレーザ光に非点収差を与えるためのレンズである。非点収差レンズ３０は光学ガラスや光学プラスチックで作製される。
【０１０２】
受光センサ３１はレーザ光源２１から出射され光ディスク２９で反射されたレーザ光を受けてトラッキング制御用信号、フォーカス制御用信号、ＲＦ信号等の電気信号に変換して出力する。
【０１０３】
フィルタ３２はビームスプリッタ２３で分離されて前光モニタ３３に入射するレーザ光の光量を適切な値の範囲にするために用いる。ビームスプリッタ２３の側面に光吸収膜を設けて、それをフィルタ３２としても良い。
【０１０４】
前光モニタ３３はレーザ光源２１から出射されビームスプリッタ２３で反射されて分離されたレーザ光を受けて、その光量を電気信号に変換して出力する。その電気信号はレーザ光源の２１が出射するレーザ光の光量制御に用いられる。
【０１０５】
基台３４は光ピックアップ装置３５の骨格をなすもので、Ｚｎ合金、Ｍｇ合金等の合金材料あるいは硬質樹脂材料等で形成される。
【０１０６】
対物レンズ１を搭載した対物レンズ駆動装置１１はヨーク５が基台３４に接着される。レーザ光源２１と、回折素子２２と、ビームスプリッタ２３と、非点収差レンズ３０を取り付けた受光センサ３１とは共通の取り付け部材に取り付けられ、その取り付け部材が基台３４に取り付けられる。ミラー２４、コリメートレンズ２５、波長板２６、角度変換プリズム２７、立ち上げプリズム２８は基台３４に取り付けられる。また、フィルタ３２、前光モニタ３３も基台３４に取り付けられる。
【０１０７】
次に光路について説明する。図１２に示すようにレーザ光源２１から出射された波長λ１、λ２のレーザ光は回折素子２２で回折されて０次光、±１次光に分離されてビームスプリッタ２３に入射する。分離されたレーザ光は受光センサ３１に入射されるとトラッキング制御用の電気信号に変換される。ビームスプリッタ２３の傾斜面２３ａの偏光分離膜で一部のレーザ光は反射されてフィルタ３２を透過して前光モニタ３３に入射して光量制御用の電気信号に変換される。大半の透過したレーザ光はミラー２４で反射されてコリメートレンズ２５に入射する。コリメートレンズ２５で発散光から略平行光に変換されて波長板２６に入射する。波長板２６に入射したレーザ光はＰ偏光の直線偏光から円偏光に変換されて、角度変換プリズム２７に入射して光路を若干変更されて立ち上げプリズム２８に入射する。立ち上げプリズム２８に入射したレーザ光は光ディスク２９に略直角な方向に向きを変えられて、対物レンズ１に入射し、対物レンズ１では略平行光から集束光に変換されて、光ディスク２９に入射する。光ディスク２９に入射したレーザ光は光ディスク２９の記録面に焦点を結ぶ。
【０１０８】
光ディスク２９の記録面で反射されたレーザ光は対物レンズ１、立ち上げプリズム２８、角度変換プリズム２７、波長板２６、コリメートレンズ２５を通り、ミラー２４で反射されてビームスプリッタ２３に入射する。対物レンズ１では発散光から略平行光に変換される。波長板２６で円偏光から往きの直線偏光とは垂直な直線偏光、すなわちＳ偏光に変換される。コリメートレンズ２５では略平行光から集束光に変換される。ビームスプリッタ２３に入射したレーザ光は偏光分離膜で全反射されて非点収差レンズ３０に入射する。非点収差レンズ３０で非点収差を与えられたレーザ光は受光センサ３１に入射し、フォーカス制御用の電気信号に変換される。また、受光センサ３１に入射した少なくとも一部のレーザ光の光量がＲＦ信号用の電気信号に変換される。
【０１０９】
受光センサ３１で生成されたフォーカス制御用信号、トラッキング制御用信号は光ディスク装置本体に送られる。そして対物レンズ駆動装置１１のＦＰＣ９に駆動電流が送られ、ＦＰＣ９から支持部材３を介して第１フォーカスコイル６ａまたは１２ａ、第２フォーカスコイル６ｂまたは１２ｂ、トラッキングコイル７に駆動電流が流れて電磁力が発生する。こうして対物レンズ１は光ディスク２９に対してフォーカス方向、トラッキング方向に移動する。
【０１１０】
以上のように本実施の形態４の光ピックアップ装置３５に搭載される対物レンズ駆動装置１１はレンズホルダ２の両端に配置され外層と内層との二重構造で形成されている支持部材３が２段１列に配置されているので、外層導電部材３ａと内層導電部材３ｂとを合わせた導電部材が合計８本となる。そのため、第１フォーカスコイル６ａと一組の第１導電部材３ｄ、第２フォーカスコイル６ｂと一組の第２導電部材３ｅ、トラッキングコイル７と一組の第３導電部材３ｆがそれぞれ接続できる。このように第１フォーカスコイル６ａ、第２フォーカスコイル６ｂ、及びトラッキングコイル７に独立して電流を流すことができるため、対物レンズ１の光ディスクに対する傾き制御が行える。しかも、従来と同等の各支持部材３の間隙でも、最上段と最下段の支持部材３の間隙は、支持部材３を３段に配置する場合に対してほぼ半分にすることができるので、対物レンズ駆動装置１１の薄型化ができる。そのため、本実施の形態４の光ピックアップ装置３５は薄型で、ＣＤ、ＤＶＤのすべての記録再生に対応できる。
【０１１１】
（実施の形態５）
本実施の形態５について図面を参照しながら説明する。図１４（ａ）は本実施の形態５の光ピックアップモジュールの構成の上面図、図１４（ｂ）は下面図である。図１５は本実施の形態５の光ディスク装置の構成図である。本実施の形態５は実施の形態１、実施の形態２または実施の形態３で説明した対物レンズ駆動装置を備えた光ディスク装置である。
【０１１２】
図１４において、光ディスクを回転駆動する回転駆動部及び光ピックアップ装置３５を回転駆動部に対して近づけたり離したりする移動部を備える光ディスク装置５０の駆動機構を光ピックアップモジュール４０という。ベース４１は光ピックアップモジュール４０の骨組みを成すもので、光ピックアップモジュール４０はベース４１に直接的、間接的に各構成部品が配置されて構成される。
【０１１３】
回転駆動部は光ディスクを載置するターンテーブル４２ａを有するスピンドルモータ４２を備えている。スピンドルモータ４２はベース４１に固定される。スピンドルモータ４２は光ディスクを回転させる回転駆動力を生成する。
【０１１４】
移動部はフィードモータ４３、スクリューシャフト４４、ガイドシャフト４５、４６を備えている。フィードモータ４３はベース４１に固定される。フィードモータ４３は光ピックアップ装置３５が光ディスクの内周と外周の間を移動するために必要な回転駆動力を生成する。フィードモータ４３としてステッピングモータ、ＤＣモータなどが使用される。スクリューシャフト４４はらせん状に溝が掘られており、直接または数段のギアを介してフィードモータ４３に接続される。本実施の形態５ではギアを介してフィードモータ４３と接続される。ガイドシャフト４５、４６はそれぞれ両端で保持部材を介してベース４１に固定される。ガイドシャフト４５、４６は光ピックアップ装置３５を移動自在に支持する。光ピックアップ装置３５はスクリューシャフト４４の溝と噛み合うガイド歯を有するラック４７を備える。ラック４７がスクリューシャフト４４に伝達されたフィードモータ４３の回転駆動力を直線駆動力に変換するために光ピックアップ装置３５は光ディスクの内周と外周の間を移動することができる。
【０１１５】
なお、回転駆動部は光ディスクを所定の回転数で回転させることができる構成であれば、本実施の形態５で説明した構成に限るものではない。また移動部は光ピックアップ装置３５を光ディスクの内周と外周の間の所定の位置に移動させることができる構成であれば、本実施の形態５で説明した構成に限るものではない。
【０１１６】
光ピックアップ装置３５は図１３の構成にカバーを取り付けたものであり、実施の形態１、実施の形態２または実施の形態３で説明した対物レンズ１を備えた対物レンズ駆動装置１１を備えている。そのため光ピックアップ装置３５は薄型で、ＣＤ、ＤＶＤのすべての記録再生に対応できる。光ピックアップ装置３５は光ディスクに対し情報の記録または再生の少なくとも一方を行い、そのためにレーザ光を対物レンズ１から光ディスクに向けて出射する。光ピックアップ装置３５の対物レンズ１から出射されるレーザ光が光ディスクに対し直角に入射するように、保持部材を構成する調整機構でガイドシャフト４５、４６の傾きを調整する。
【０１１７】
ＦＰＣ４８は光ピックアップ装置３５と光ディスク装置５０の本体とを電気的に接続する。ＦＰＣ４８は光ディスク装置５０の本体側から光ピックアップ装置３５に対し、電力を供給し、電気信号を送るための導電線であるとともに、光ピックアップ装置３５から光ディスク装置５０の本体側へ電気信号を送るための導電線でもある。ＦＰＣ９に対してもこのＦＰＣ４８を介して電流が流れる。
【０１１８】
カバー４９は開口を有し、光ピックアップ装置３５の対物レンズ１を含む対物レンズ駆動装置１１の少なくとも一部及びスピンドルモータ４２のターンテーブル４２ａを露出させる。さらに本実施の形態５の場合、フィードモータ４３、ガイドシャフト４６の部分も露出させて、カバー４９の厚さの分だけ光ピックアップモジュール４０の厚さが薄くなるようにしている。
【０１１９】
図１５において、筐体５１は上部筐体５１ａと下部筐体５１ｂを組み合わせてネジなどを用いて互いに固定して構成されている。トレイ５２は筐体５１に出没自在に設けられている。トレイ５２は光ピックアップモジュール４０を下面側から配置する。トレイ５２は開口を有し、対物レンズ１を含む対物レンズ駆動装置１１の少なくとも一部及びスピンドルモータ４２のターンテーブル４２ａ、カバー４９の少なくとも一部を露出させる。ベゼル５３はトレイ５２の前端面に設けられて、トレイ５２が筐体５１内に収納された時にトレイ５２の出没口を塞ぐように構成されている。ベゼル５３にはイジェクトスイッチ５４が設けられ、イジェクトスイッチ５４を押すことで、筐体５１とトレイ５２との係合が解除され、トレイ５２は筐体５１に対し出没が可能な状態となる。レール５５はそれぞれトレイ５２の両側部及び筐体５１の双方に摺動自在に取り付けられる。筐体５１内部やトレイ５２内部には図示していない回路基板があり、信号処理系のＩＣや電源回路などが搭載されている。外部コネクタ５６はコンピュータ等の電子機器に設けられた電源／信号ラインと接続される。そして、外部コネクタ５６を介して光ディスク装置５０内に電力を供給したり、あるいは外部からの電気信号を光ディスク装置５０内に導いたり、あるいは光ディスク装置５０で生成された電気信号を電子機器などに送出する。
【０１２０】
以上のように本実施の形態５の光ディスク装置５０に搭載される対物レンズ駆動装置１１はレンズホルダ２の両端に配置され外層と内層との二重構造で形成されている支持部材３が２段１列に配置されているので、外層導電部材３ａと内層導電部材３ｂとを合わせた導電部材が合計８本となる。そのため、第１フォーカスコイル６ａと一組の第１導電部材３ｄ、第２フォーカスコイル６ｂと一組の第２導電部材３ｅ、トラッキングコイル７と一組の第３導電部材３ｆがそれぞれ接続できる。このように第１フォーカスコイル６ａ、第２フォーカスコイル６ｂ、及びトラッキングコイル７に独立して電流を流すことができるため、対物レンズ１の光ディスクに対する傾き制御が行える。しかも、従来と同等の各支持部材３の間隙でも、最上段と最下段の支持部材３の間隙は、支持部材３を３段に配置する場合に対してほぼ半分にすることができるので、対物レンズ駆動装置１１の薄型化ができる。そのため、本実施の形態５の光ディスク装置５０は薄型で、ＣＤ、ＤＶＤのすべての記録再生に対応できる。
【産業上の利用可能性】
【０１２１】
以上のように本発明の対物レンズ駆動装置、光ピックアップ装置及び光ディスク装置は対物レンズの光ディスクに対する傾き制御を行え、かつ、薄型であり、特に薄型のノートブック型パーソナルコンピュータ等の電子機器に好んで搭載される。
【図面の簡単な説明】
【０１２２】
【図１】本実施の形態１の対物レンズ駆動装置の構成図
【図２】（ａ）本実施の形態１のレンズホルダの構成図、（ｂ）（ａ）の左側の端子板の半田用ランドの配置と配線図、（ｃ）（ａ）の右側の端子板の半田用ランドの配置と配線図
【図３】本実施の形態１の支持部材の構成図
【図４】（ａ）本実施の形態１の固定部材の構成図、（ｂ）ＦＰＣを取り付けた固定部材の構成図
【図５】（ａ）本実施の形態１の磁石を配置したヨークの構成図、（ｂ）他の例の構成図
【図６】（ａ）本実施の形態１のフォーカスコイル、トラッキングコイルと支持部材との接続を示す固定部材と反対側から見た図、（ｂ）固定部材側から見た図
【図７】本実施の形態１の固定部材側における支持部材と導電線の接続を示す図
【図８】（ａ）本実施の形態１の対物レンズ駆動装置の製造方法を示す図の端子板、フォーカスコイルとトラッキングコイルを取り付けたレンズホルダの完成図、（ｂ）ＦＰＣを取り付けた固定部材の完成図、（ｃ）支持部材の完成図、（ｄ）支持部材とレンズホルダと固定部材の組み立ての完成図、（ｅ）対物レンズの取り付けの完成図、（ｆ）磁石を配置したヨークの取り付けの完成図、（ｇ）ダンピングゲルを注入した対物レンズ駆動装置の完成図
【図９】本実施の形態２の第１フォーカスコイルと第２フォーカスコイルの巻線方向を示す図
【図１０】（ａ）本実施の形態２のフォーカスコイル、トラッキングコイルと支持部材との接続を示す固定部材と反対側から見た図、（ｂ）固定部材側から見た図
【図１１】（ａ）本実施の形態３のフォーカスコイル、トラッキングコイルと支持部材との接続を示す固定部材と反対側から見た図、（ｂ）固定部材側から見た図
【図１２】本実施の形態４の光ピックアップ装置の光学系の構成図
【図１３】本実施の形態４の光ピックアップ装置の上面からの構成図
【図１４】（ａ）本実施の形態５の光ピックアップモジュールの構成の上面図、（ｂ）下面図
【図１５】本実施の形態５の光ディスク装置の構成図
【図１６】ＣＤとＤＶＤに対し記録再生ができる従来の光ピックアップ装置の対物レンズ駆動装置を示す図
【符号の説明】
【０１２３】
１    対物レンズ
２    レンズホルダ
２ａ    第１貫通孔
２ｂ    第２貫通孔
２ｃ    切り欠き部
２ｄ、２ｈ    端子板
２ｅ、２ｆ、２ｇ    半田用ランド
３    支持部材
３ａ    外層導電部材
３ｂ、３ｈ    内層導電部材
３ｃ、３ｉ    絶縁部材
３ｄ    第１導電部材
３ｅ    第２導電部材
３ｆ    第３導電部材
３ｇ    第４導電部材
４    固定部材
４ａ    保持部
４ｂ    貫通孔
４ｃ    開口
５    ヨーク
５ａ    平坦部
５ｂ    腕部
５ｃ    第１立設ヨーク部
５ｄ    第２立設ヨーク部
５ｅ、５ｆ    側立設部
５ｇ、５ｈ    立設部
６    フォーカスコイル
６ａ    第１フォーカスコイル
６ｂ    第２フォーカスコイル
６ｃ、６ｄ    リード線
７    トラッキングコイル
７ａ    リード線
８    磁石
９    ＦＰＣ
９ａ、９ｃ    半田用ランド
９ｂ    貫通孔
１０    ダンピングゲル
１１    対物レンズ駆動装置
１２、１３    フォーカスコイル
１２ａ、１３ａ    第１フォーカスコイル
１２ｂ、１３ｂ    第２フォーカスコイル
１２ｃ、１２ｄ、１３ｃ、１３ｄ    リード線
１４    トラッキングコイル
１４ａ    リード線
２１    レーザ光源
２２    回折素子
２３    ビームスプリッタ
２３ａ    傾斜面
２４    ミラー
２５    コリメートレンズ
２６    波長板
２７    角度変換プリズム
２８    立ち上げプリズム
２９    光ディスク
３０    非点収差レンズ
３１    受光センサ
３２    フィルタ
３３    前光モニタ
３４    基台
３５    光ピックアップ装置
４０    光ピックアップモジュール
４１    ベース
４２    スピンドルモータ
４２ａ    ターンテーブル
４３    フィードモータ
４４    スクリューシャフト
４５、４６    ガイドシャフト
４７    ラック
４８    ＦＰＣ
４９    カバー
５０    光ディスク装置
５１    筐体
５１ａ    上部筐体
５１ｂ    下部筐体
５２    トレイ
５３    ベゼル
５４    イジェクトスイッチ
５５    レール
５６    外部コネクタ
【図１】
2007213631.tif 000003
【図２】
2007213631.tif 000004
【図３】
2007213631.tif 000005
【図４】
2007213631.tif 000006
【図５】
2007213631.tif 000007
【図６】
2007213631.tif 000008
【図７】
2007213631.tif 000009
【図８】
2007213631.tif 000010
【図９】
2007213631.tif 000011
【図１０】
2007213631.tif 000012
【図１１】
2007213631.tif 000013
【図１２】
2007213631.tif 000014
【図１３】
2007213631.tif 000015
【図１４】
2007213631.tif 000016
【図１５】
2007213631.tif 000017
【図１６】
2007213631.tif 000018